【事件の表示】
　特願２００７−２８４５１７「液体噴出器」拒絶査定不服審判事件〔平成２１年　５月２１日出願公開、特開２００９−１０６９０７〕について、次のとおり審決する。
【結　論】
　本件審判の請求は、成り立たない。
【理　由】
第１　手続の経緯
　本件出願は、平成１９年１０月３１日の出願であって、平成２４年６月２２日付けで拒絶理由が通知され、平成２４年８月２４日に意見書及び手続補正書が提出されたが、平成２４年１１月１６日付けで拒絶査定がなされ、これに対し、平成２５年２月１２日付けで拒絶査定不服審判が請求されると同時に、同日付けで明細書及び特許請求の範囲を補正する手続補正書が提出され、その後、当審において平成２５年５月９日付けで書面による審尋がなされ、これに対して平成２５年７月１２日付けで回答書が提出されたものである。
　
第２　平成２５年２月１２日付けの手続補正についての補正却下の決定
〔補正却下の決定の結論〕
　平成２５年２月１２日付けの手続補正を却下する。
　
〔理由〕
１　本件補正について 
（１）平成２５年２月１２日付けの手続補正書による手続補正（以下、単に「本件補正」という。）は、特許請求の範囲に関しては、本件補正により補正される前の（すなわち、平成２４年８月２４日付け手続補正書により補正された）特許請求の範囲の以下の（ａ）に示す請求項１ないし４を、（ｂ）に示す請求項１ないし３に補正するものである。 
　 
　（ａ）本件補正前の特許請求の範囲の請求項１ないし４ 
「　【請求項１】
　容器体（Ａ）に着脱可能に装着するとともに、容器体（Ａ）内に垂下したシリンダ（11）の下端より吸上げパイプ（13）を垂設し、上端の押下ヘッド（12）の上下動により容器体（Ａ）内の液を吸い上げて押下ヘッド（12）の噴出口（14）より噴出する如く構成した液体噴出器に於いて、シリンダ（11）に対して着脱自在に装着した吸上げパイプ（13）内に、所定間隔をあけて嵌着した一対のメッシュ（16）間に粒体収容部（17）を画成し、粒体収容部（17）内部へ、収容液との接触により噴出液に特性を付加する粒体（15）を、液の流通が可能な状態で収容し、粒体収容部（17）上流に、上流から下流に一方的に連通する逆止弁（30）を設けたことを特徴とする液体噴出器。
　　【請求項２】
　粒体収容部（17）内に粒体（15）の移動が可能な空隙を設けた請求項１に記載の液体噴出器。
　　【請求項３】
　容器体内からの液の流入口に底蓋（20）を着脱可能に嵌合させた請求項１又は請求項２のいずれかに記載の液体噴出器。
　　【請求項４】
　吸上げパイプ（13）の一部を拡径した拡径部（40）の上下位置にメッシュ（16）を嵌着して画成した請求項１乃至請求項３のいずれかに記載の液体噴出器。」
　  
　（ｂ）本件補正後の特許請求の範囲の請求項１ないし３ 
「　【請求項１】
　容器体（Ａ）に着脱可能に装着するとともに、容器体（Ａ）内に垂下したシリンダ（11）の下端より吸上げパイプ（13）を垂設し、上端の押下ヘッド（12）の上下動により容器体（Ａ）内の液を吸い上げて押下ヘッド（12）の噴出口（14）より噴出する如く構成した液体噴出器に於いて、シリンダ（11）に対して着脱自在に装着した吸上げパイプ（13）内に、所定間隔をあけて嵌着した一対のメッシュ（16）間に粒体収容部（17）を画成し、粒体収容部（17）内部へ、収容液との接触により吐出液に特性を付与する粒体（15）を、液の流通が可能な状態で収容し
、該粒体収容部（17）内に、液の噴出の際に液圧で粒体（15）を移動させて、液に対して粒体（15) の特性を付加し易くするための空隙を設け、
　　【請求項２】
　
容器体内からの液の流入口に底蓋（20）を着脱可能に嵌合させた請求項１に記載の液体噴出器。
　　【請求項３】
　
吸上げパイプ（13）の一部を拡径した拡径部（40）の上下位置にメッシュ（16）を嵌着して画成した請求項１又は請求項２のいずれかに記載の液体噴出器。
　
（２）本件補正の目的について
　特許請求の範囲の請求項１についての本件補正は、特許請求の範囲の請求項１における発明特定事項である「粒体収容部（17）」について、「
該粒体収容部（17）内に、液の噴出の際に液圧で粒体（15）を移動させて、液に対して粒体（15) の特性を付加し易くするための空隙を設け
　したがって、本件補正は、特許法第１７条の２第５項第２号の特許請求の範囲の減縮を目的とするものに該当する。
　
２　独立特許要件について
　本件補正における特許請求の範囲の補正は、前述したように、特許請求の範囲の減縮を目的とするものに該当するので、本件補正後の請求項１に記載された事項により特定される発明（以下、「本件補正発明」という。）が、特許出願の際独立して特許を受けることができるものであるか否かについて、以下に検討する。
　
２−１　引用文献
２−１−１　引用文献１
（１）原査定の拒絶理由に引用された本件出願前に頒布された刊行物である特表２００７−５２８２３５号公報（公表日：平成１９年１０月１１日。以下、「引用文献１」という。）には、例えば、以下の記載がある。（なお、下線は、理解の一助のために当審で付したものである。）  
　  
（ａ）「【特許請求の範囲】
【請求項１】
  
原料水を収容する貯蔵空間を備えた主要本体と
  
前記貯蔵空間から原料水を噴出するため前記主要本体の頂部に取り付けられた噴霧ユニットと
  
前記主要本体の前記貯蔵空間に取り外し可能に装着され、前記噴霧ユニットと連絡するフィルター組み立て体とを備え
  
前記フィルター組み立て体は、前記主要本体の前記貯蔵空間の原料水が前記フィルター組み立て体の底部から各フィルターユニットを通過し、次いで前記噴霧ユニットによって噴出するように、互いに分離可能に複数段積み重ねられ、各々原料水を芳香水に変換するための充填剤で充填された複数のフィルターユニットを有する
芳香水の製造装置
【請求項２】
  前記フィルターユニットの各々が、
  前記充填剤を収容する中空空間を備えるハウジングと、
  前記ハウジングに前記原料水が流入する場合に通過するビアホールと、
  前記ハウジング内に装着され、前記原料水に含まれる固体物質を濾過するディスクフィルターと、
を備えた請求項１に記載の芳香水の製造装置。
【請求項３】
  前記フィルターユニットの各々が、
  上部フィルターユニットの下部端が縦に隣接する下部フィルターの上部端の中へ力で嵌合されるような寸法を有する、
請求項２に記載の芳香水の製造装置。
【請求項４】
  前記充填剤が、銀被覆活性炭、イオン交換樹脂、ビタミンＣカプセル、芳香カプセル、毛髪栄養剤、アニオン性ボールからなる群から選択される、
請求項１に記載の芳香水の製造装置。
【請求項５】
  原料水を収容する貯蔵空間を備える主要本体と、
  前記貯蔵空間から原料水を噴出するため前記主要本体の頂部に取り付けられた噴霧ユニットと、
  前記主要本体の前記貯蔵空間に取り外し可能に装着され、前記噴霧ユニットと連絡するフィルター組み立て体とを備え、
  前記フィルター組み立て体は、前記主要本体の前記貯蔵空間の原料水が前記フィルター組み立て体の底部から各フィルターユニットを通過し、次いで噴霧ユニットによって噴出するように、互いに分離可能に複数段積み重ねられ、各々原料水をペット用の機能性溶液に変換するための充填剤で充填された複数のフィルターユニットを有し、
  前記複数のフィルターユニットは、イオン交換樹脂を充填した第１フィルターユニットと、抗細菌／殺菌充填剤を充填した第２フィルターユニットとを有する、
ペット用の機能性溶液の製造装置。
【請求項６】
  前記第２フィルターユニットを充填する充填剤が、ナノ銀セラミックボール、銀被覆ゼオライト、銀含有活性炭繊維からなる群から選択される少なくとも１種である請求項５に記載のペット用の機能性溶液の製造装置。
【請求項７】
  前記フィルター組み立て体が、イチョウの葉の抽出物カプセル、梅抽出物カプセル、芳香カプセルからなる群から選択される少なくとも１種を充填した第３フィルターユニットをさらに備えた請求項５に記載のペット用の機能性溶液の製造装置。」（【特許請求の範囲】の【請求項１】ないし【請求項７】）
　 
（ｂ）「【０００１】
  本発明は、芳香水およびペットのための機能性溶液を製造する装置、特に、
装置の用途に応じた充填剤を選択的に使用する
　
（ｃ）「【００１０】
  （技術的問題点）
  本発明は、皮膚手入れおよび毛髪手入れを含んで様々な目的に使用することができるように、
その用途に応じて様々な機能性充填剤を収容する取り外し可能なフィルターユニットを装着するように構成されている
【００１１】
  また、本発明は、原料水が殺菌／抗細菌、栄養、脱臭効果を有する機能性充填剤を通過することができ、ペット用の機能性溶液を繰り返し製造することの可能な装置を提供する。
【００１２】
  また、本発明はペットの種類に応じて機能性溶液を選択的に製造する装置を提供する。
【００１３】
  また、本発明は、構造が単純化され、ペット用の機能性溶液を製造するのに連続的に使用することのできる装置を提供する。」（段落【００１０】ないし【００１３】）
　
（ｄ）「【００１７】
  最初に、本発明の好ましい実施形態による芳香水の製造装置を、図１〜４を参照して説明する。
【００１８】
  芳香水を製造する装置１０は、原料水１５を収容する貯蔵空間Ｘを備えて形成された主要本体１４を有する。
噴霧ユニット１３は主要本体１４の頂部に取り付けられて貯蔵空間Ｘから原料水１５を噴出する
噴霧ユニット１３は、芳香水の噴出を誘起するための押しボタン１１と、押しボタン上に形成された導出口１２とを含み、これを通して芳香水を噴出させる
フィルター組み立て体２０は、主要本体１４の貯蔵空間Ｘに取り外し可能に装着され、噴霧ユニット１３と連絡する
噴霧ユニット１３は、貯蔵空間Ｘの原料水１５をフィルター組み立て体２０を経由して噴出させることのできる共通の構造を有する
【００１９】
  フィルター組み立て体２０は、複数のフィルターユニット、すなわち、第１、第２、第３、第４のフィルターユニット２１、２２、２３、２４を複数段積み重ねた構造を有する。第１、第２、第３、第４のフィルターユニット２１、２２、２３、２４は互いから分離すること、または互いに組み合わせることができる。第１、第２、第３、第４のフィルターユニット２１、２２、２３、２４は、原料水１５を芳香水に変換する第１、第２、第３、第４の充填剤２１ａ、２２ａ、２３ａ、２４ａで充填された中空の空間を有する筒状部材を含む。第１、第２、第３、第４のフィルターユニット２１、２２、２３、２４の筒状部材は、それぞれ原料水１５の流入用導入孔として働く第１、第２、第３、第４のビアホール２１ｂ、２２ｂ、２３ｂ、２４ｂを備えて形成される。第１、第２、第３、第４の下部ディスクフィルター２１ｃ、２２ｃ、２３ｃ、２４ｃ、および第１、第２、第３、第４の上部ディスクフィルター２１ｄ、２２ｄ、２３ｄ、２４ｄは、それぞれ第１、第２、第３、第４のフィルターユニット２１、２２、２３、２４の底部および頂部に装着され、第１、第２、第３、第４のビアホール２１ｂ、２２ｂ、２３ｂ、２４ｂを通って流れる原料水１５に含まれる固体を濾過する。必要に応じて、第１、第２、第３、第４の上部ディスクフィルター２１ｄ、２２ｄ、２３ｄ、２４ｄは装着しなくてもよい。
【００２０】
  従って、
主要本体１４の貯蔵空間Ｘ中の原料水１５は、フィルター組み立て体２０の底部から第１、第２、第３、第４のフィルターユニット２１、２２、２３、２４を通過する間に芳香水へ変換され、次いで噴霧ユニット１３の導出口１２から噴出される
【００２１】
  
第１、第２、第３、第４のフィルターユニット２１、２２、２３、２４は連結部材Ｊによって互いに分離または結合することができる
連結部材Ｊは、力による嵌合、ネジによる連結、および装着または脱着法を含む様々な方法で操作することができる
例えば、装着または脱着法において、フィルターユニット２０は、フィルターユニットに設けられた溝が隣接するフィルターユニットに設けられた突起に装着または脱着されるように、互いに分離または結合され
【００２２】
  力による嵌合方法において、図３に示すように、各フィルターユニットの寸法は、上部フィルターユニットの下部連結部材が、縦に隣接する下部フィルターユニットの上部連結部材の中へ嵌合されるように設定される。図４に示すように、連結手段Ｋを用いるネジによる連結方法では、上部フィルターユニットの下部連結部材と縦に隣接する下部フィルターユニットの上部連結部材には互いにネジが設けられる。
【００２３】
  原料水１５を芳香水へ変換するための第１、第２、第３、第４の充填剤２１ａ、２２ａ、２３ａ、２４ａは、銀被覆活性炭、イオン交換樹脂、ビタミンＣカプセル、芳香カプセル、毛髪栄養剤、アニオン性ボールから選択することができる。
　（中略）
【００２６】
  ビタミンＣカプセルは、ビタミンＣが熱または水によって破壊されるのを防ぎ、皮膚のコラーゲン繊維の合成を刺激することによって皮膚に白色化効果を与える働きをするカプセル化製品である。芳香カプセルは、予め定めたレベルの芳香を原料水１５に付与する働きをし、従って、精神的芳香療法効果を提供することができる。アニオン性ボールは、希土類ベースの天然材料であり、人体に有用なアニオンを放出する。毛髪栄養剤は、本発明による芳香水の製造装置１０が毛髪手入れに使用されるときの添加剤成分である。毛髪栄養剤は、毛髪栄養剤の成分が徐々に原料水１５へ溶出することができるように、カプセルの形として使用される。
【００２７】
  これらの充填剤は、用途または使用者の好みに応じて、第１、第２、第３、第４のフィルターユニットを選択的に充填することができる。」（段落【００１７】ないし【００２７】） 
　
（ｅ）「【００２８】
  これ以降、本発明による芳香水の製造装置１０が皮膚手入れに使用される場合について例示する。例示的実施形態に使用されるフィルター組み立て体２０は、第１、第２、第３、第４のフィルターユニット２１、２２、２３、２４を含む。第１フィルターユニット２１には第１充填剤２１ａとして銀被覆活性水が充填され、第２フィルターユニット２２には第２充填剤２２ａとしてビタミンＣカプセルが充填され、第３のフィルターユニット２３には第３の充填剤２３ａとして芳香カプセルが充填され、第４フィルターユニット２４には第４充填剤２４ａとして色彩変化イオン交換樹脂が充填される。
【００２９】
  第１、第２、第３、第４のフィルターユニット２１、２２、２３、２４の底部および頂部にそれぞれ装着された、
下部ディスクフィルター２１ｃ、２２ｃ、２３ｃ、２４ｃ
上部ディスクフィルター２１ｄ、２２ｄ、２３ｄ、２４ｄ
これらのディスクフィルターは充填剤２１ａ、２２ａ、２３ａ、２４ａを支持する働きをし
【００３０】
  本発明による芳香水の製造装置１０を使用する前に、それぞれ銀被覆活性炭、ビタミンＣカプセル、芳香カプセル、色彩変化イオン交換樹脂を充填した第１、第２、第３、第４のフィルターユニット２１、２２、２３、２４は互いに固定するように結合され、フィルター組み立て体２０を形成する。フィルター組み立て体２０は噴霧ユニット１３に取り付けられ、次いで原料水１５を収容する主要本体１４中に装着される。
【００３１】
  導出口１２が使用者の皮膚に面した状態で押しボタン１１が押されると、主要本体１４中に収容された原料水１５は、最初に第１のビアホール２１ｂを経由して銀被覆活性炭を含む第１フィルターユニット２１へ流入する。このとき、原料水１５は残留塩素の除去および殺菌／抗細菌処理を受ける。得られる
中間水
　（中略）
【００３２】
  このようにして、原料水１５は、第１、第２、第３、第４のフィルターユニット２１、２２、２３、２４を通過する間に、ビタミンＣおよび芳香を含む酸性芳香水へ変換される。酸性芳香水は押しボタン１０を押すことによって導出口１２から霧状に噴霧される。従って、十分な栄養効果が人の皮膚に与えられ、それによって皮膚の状態を改善する。
【００３３】
  一方、芳香水の製造装置１０が毛髪手入れに使用されるとき、第２フィルターユニット２２はビタミンＣの替りにカプセル化した毛髪栄養剤が充填される。替わりに、第２フィルターユニット２２を取り除いた後、カプセル化した毛髪栄養剤を充填した別のフィルターユニットを使用することもできる。
【００３４】
  このようにして、フィルターユニットは用途に応じて選択的に様々な充填剤で充填することができ、芳香水製造装置１０の有用性を高める。」（段落【００２８】ないし【００３４】）
　
（ｆ）「【００３９】
  図５および６を参照すれば、ペット用の機能性溶液の製造装置３０は、純水、精製水、および水道水などの原料水３５を収容する貯蔵空間Ｘを備えて形成された主要本体３４と、主要本体３４の頂部に取り外し可能に取り付けられた噴霧ユニット３３と、噴霧ユニット３３を覆うキャップ３６と、
貯蔵空間Ｘの原料水３５を引き出して、噴霧ユニット３３と連絡するための通路を形成するフィルター組み立て体４０
【００４０】
  主要本体３４には、それが原料水３５を収容できるかぎり、特別の制約はない。殺菌／抗細菌効果を提供するために、二酸化チタン（ＴｉＯ２）から作られた光触媒被覆層（図示せず）を主要本体３４の内部に形成できることが好ましい。光触媒被覆層が存在する場合、主要本体３４は透明な材料または少なくとも紫外線を吸収することのできる材料から作ることができる。
【００４１】
  噴霧ユニット３３は、貯蔵空間Ｘ中の原料水３５がフィルター組み立て体４０を経由して噴霧される条件で、任意の構造を有することができる。
例えば、噴霧ユニット３３は、ボールバルブ、ピストン、ノズルを設けた通常の構造を有することができる
【００４２】
  フィルター組み立て体４０は連結部材によって互いに結合することのできる複数のフィルターユニット（図５の第１および第２フィルターユニット４１、４２）を含む。連結部材は図１〜４の実施形態におけるもの（ＪおよびＫ）と同じであり、従って、その詳細な説明は省略する。
【００４３】
  第１の上部支持体４１ｃおよび第１の下部支持体４１ｂは、それぞれ第１フィルターユニット４１の頂部および底部に装着される。第２の上部支持体４２ｃおよび第２の下部支持体４２ｂは、それぞれ第２フィルターユニット４２の頂部および底部に装着される。これらの支持体はビアホールを備えて形成される。第１および第２フィルターユニット４１および４２は、それぞれ原料水３５を酸性水に変換する第１充填剤４１ａと、抗細菌／殺菌効果を与える第２充填剤４２ｂで充填される。
　（中略）
【００４７】
  例示的実施例には示していないが、ペット用の機能性溶液の製造装置は、図１〜４に示した実施例のように、原料水３５中に含まれる固体を濾過して取り除くために、
各フィルターユニットの頂部または底部に装着された上部または下部ディスクフィルターをさらに含むことができる
【００４８】
  一方、ペット用の機能性溶液の製造装置３０は、図７および８に示したように、毛皮栄養効果を有するイチョウの葉の抽出物カプセル４３ａ、梅抽出物カプセル４４ａ、脱臭のための芳香カプセル４５ａをそれぞれ充填した、第３、第４、第５のフィルターユニット４３、４４、４５をさらに含むことができる。イチョウの葉の抽出物カプセル４３ａおよび梅抽出物カプセル４４ａについては、抽出成分はマイクロカプセル化した粗溶液から原料水３５へゆっくり溶出される。
【００４９】
  フィルター組み立て体４０は上述の実施形態に示したものに制限されない。
フィルターユニットは、
噴霧ユニット３３に選択的に取り付けられる
【００５０】
  本発明による装置を用いてペットの毛と皮膚を殺菌／消毒するためには、最初に、イオン交換樹脂４１ａを充填した第１フィルターユニット４１と、ナノ銀セラミックボール、銀被覆ゼオライト、および／または銀含有活性炭繊維を充填した第２フィルターユニット４２を互いに結合してフィルター組み立て体４０を形成し、次いで噴霧ユニット３３に取り付ける。その後、第２フィルターユニット４２が原料水３５中に浸漬するように、得られた構造を主要本体３４の貯蔵空間Ｘ中に装着する。
【００５１】
  この状態で、噴霧ユニット３３が操作されると、主要本体３４中の原料水３５は、ナノ銀セラミックボールまたは銀被覆ゼオライトなどの第２充填剤４２ａを充填した第２フィルターユニットを通過する間に、殺菌／抗細菌処理を受ける。すなわち、ナノ銀セラミックボールと銀被覆ゼオライトは銀ナノ粒子でコーティングされており、従って、それらは約６５０種の菌およびビールスを殺すことができる程の強い殺菌／抗細菌効果を有し、これは塩素ベースの殺菌剤よりも数十倍強い。
　（中略）
【００５５】
  上述のように、ペット用の機能性溶液の製造装置によって、
原料水は、機能性充填剤を選択的に充填したフィルター組み立て体を通過する間に、殺菌／抗細菌、脱臭、および栄養効果を有する機能性溶液へ変換される
　
（２）上記（１）及び図１ないし８の記載から、以下のことが分かる。
　
（ア）上記（１）（ａ）ないし（ｆ）及び図１ないし８の記載から、引用文献１には、原料水１５；３５を収容する貯蔵空間Ｘを備えた主要本体１４；３４と、前記貯蔵空間Ｘから原料水１５；３５を噴出するため前記主要本体１４；３４の頂部に取り付けられた噴霧ユニット１３；３３と、前記主要本体１４；３４の前記貯蔵空間Ｘに取り外し可能に装着され、前記噴霧ユニット１３；３３と連絡するフィルター組み立て体２０；４０とを備え、前記フィルター組み立て体２０；４０は、前記主要本体１４；３４の前記貯蔵空間Ｘの原料水１５，３５が前記フィルター組み立て体２０；４０の底部から各フィルターユニット２１，２２，２３，２４；４５，４４，４３，４２，４１を通過し、次いで前記噴霧ユニット１３；３３によって噴出するように、互いに分離可能に複数段積み重ねられ、各々原料水１５；３５を芳香水に変換するための充填剤２１ａ，２２ａ，２３ａ，２４ａ；４５ａ，４４ａ，４３ａ，４２ａ，４１ａで充填された複数のフィルターユニット２１，２２，２３，２４；４５，４４，４３，４２，４１を有する、芳香水の製造装置が記載されていることが分かる。
　
（イ）上記（１）（ａ）ないし（ｆ）（特に段落【００４１】を参照。）及び図１ないし８の記載から、引用文献１に記載された芳香水の製造装置において、噴霧ユニット１３；３３は、ボールバルブ、ピストン、ノズル等を有することが分かる。ピストンは通常シリンダ内部に設けられていることから、引用文献１に記載された芳香水の製造装置は、シリンダを有しているといえる。また、技術常識を参酌すると、引用文献１に記載された芳香水の製造装置は、上端の押しボタン１１；３１の上下動により主要本体１４；３４内の原料水を吸い上げて噴霧ユニット１３；３３の導出口１２；３２より噴出する如く構成した液体噴出器であることが分かる。
　
（ウ）上記（１）（ａ）ないし（ｆ）（特に段落【００４９】を参照。）及び図１ないし８の記載から、引用文献１に記載された芳香水の製造装置において、フィルターユニット（からなるフィルター組み立て体）は、噴霧ユニット３３の下部に着脱自在に取り付けられることが分かる。
　
（エ）上記（１）（ａ）ないし（ｆ）（特に段落【００５１】及び【００５５】を参照。）及び図１ないし８の記載から、引用文献１に記載された芳香水の製造装置において、各フィルターユニット２１，２２，２３，２４；４５，４４，４３，４２，４１は、所定間隔をあけて装着された一対のディスクフィルター間に充填剤収容部を画成し、各充填剤収容部内部へ、機能性充填剤を、原料水（又は中間水）の通過が可能な状態で充填することが分かる。
　
（オ）上記（１）（ａ）ないし（ｆ）（特に段落【００３９】を参照。）及び図１ないし８の記載から、引用文献１に記載された芳香水の製造装置において、噴霧ユニット１３，３３は、主要本体３４の頂部に取り外し可能に取り付けられ、噴霧ユニット１３，３３の下部は主要本体１４内に垂下されていることが分かる。
　
（カ）上記（１）（ａ）ないし（ｆ）及び図１ないし８の記載及び技術常識から、各フィルターユニット内において、充填剤と充填剤との間には空隙が設けられていることが分かる。
　
（３）上記（１）、（２）及び図面の記載から、引用文献１には次の発明（以下、「引用文献１記載の発明」という。）が記載されているといえる。
　 
「主要本体１４；３４に取り外し可能に装着すると共に、主要本体１４；３４内に垂下した噴霧ユニット１３；３３の下部の下端よりフィルター組み立て体２０；４０を垂設し、上端の押しボタン１１；３１の上下動により主要本体１４；３４内の原料水１５；３５を吸い上げて押しボタン１１；３１の導出口１２；３２より噴出する如く構成した芳香水の製造装置において、噴霧ユニット１３；３３の下部に対して着脱自在に装着したフィルター組み立て体２０；４０内に、所定間隔をあけて装着した一対のディスクフィルター間にフィルターユニットの充填剤収容部を画成し、フィルターユニットの充填剤収容部内部へ、原料水との接触により原料水を芳香水に変換する機能性充填剤を、原料水の通過が可能な状態で充填し、該フィルターユニットの充填剤収容部内に空隙を設けた、芳香水の製造装置。」
　
２−１−２　引用文献２
（１）原査定の拒絶理由に引用された本件出願前に頒布された刊行物である特開２００５−１１２３６２号公報（以下、「引用文献２」という。）には、例えば、以下の記載がある。（なお、下線は、理解の一助のために当審で付したものである。）
　
（ａ）「【要約】
【課題】  
液体組成物の容器内への逆流を起こすことなく、液質の変化した液体組成物を注出できる液体組成物収納容器と、該容器を用いて液体組成物のｐＨを容易に調整する方法を提供することを目的とする
【解決手段】  
酸性または中性に保持された液体組成物からなる内容物２と該内容物２を収納する容器３からなる液体組成物収納容器１において、前記容器３は、容器本体４と、該容器本体４の開口部５に装着された注出口部６と、前記容器本体４内に配置された注出経路７と、該注出経路７内に配置された液質改変室８と、該液質改変室８内に収納された無機アルカリ塩からなる液質改変物質９と、前記液質改変室８の下部に配置された逆流防止弁１０とを有する
　
（ｂ）「【特許請求の範囲】
【請求項１】
  
液体組成物からなる内容物と該内容物を収納する容器からなる液体組成物収納容器において
  前記容器は、容器本体と、
  該容器本体の開口部に装着された注出口部と、
  前記容器本体内に配置された注出経路と、
  該注出経路内に配置された液質改変室と、
  該液質改変室内に収納された液質改変物質と、
  
前記液質改変室の下部に配置された逆流防止弁とを有する液体組成物収納容器
　
（ｃ）「【０００１】
  本発明は、洗浄剤などの液体組成物収納容器と、酸性から中性に維持された液体組成物のｐＨを該容器から注出する際にアルカリ性へと変化させるｐＨの調整方法に関する。」（段落【０００１】）
　
（ｄ）「【０００２】
  容器内に保存された２種類の内容物を混合させ、内容物の性質を変化させる方法として、従来から、二室型容器の各室に別々の液体組成物を入れ、使用の際にそれらを同時に注出して混合させ、液質を変化させる方法が知られている。
  しかし、この方法には、
混合後の液体組成物が容器内に逆流すると、混合前の液体組成物の液質も変化させてしまう問題があり
【０００３】
  そこで、多数回の使用を可能とするため、一室型容器を用いて容器内の液体組成物を吸着剤やイオン交換樹脂等に通過させることで、液質を変化させる技術が提案されている（例えば、特許文献１参照。）。
【特許文献１】特開平９−２４８５６０号公報」（段落【０００２】及び【０００３】）
　
（ｅ）「【０００４】
  しかし、特許文献１に示された発明においても、容器内の液体組成物は吸着剤やイオン交換樹脂等と接するため、液質が変化した液体組成物の一部が容器内の液体組成物を汚染してしまう問題があった。また、吸着剤やイオン交換樹脂は高価であるという問題もあった。
【０００５】
  
本発明は、上記の課題を解決するためになされたものであって、液体組成物の容器内への逆流を起こすことなく、液質の変化した液体組成物を注出できる液体組成物収納容器と、該容器を用いて液体組成物のｐＨを容易に調整する方法を提供することを目的とする
　
（ｆ）「【０００６】
  
本発明は、液体組成物からなる内容物と該内容物を収納する容器からなる液体組成物収納容器において、前記容器は、容器本体と、該容器本体の開口部に装着された注出口部と、前記容器本体内に配置された注出経路と、該注出経路内に配置された液質改変室と、該液質改変室内に収納された液質改変物質と、前記液質改変室の下部に配置された逆流防止弁とを有する液体組成物収納容器を提供する
  また、本発明は、前記液体組成物収納容器を用いて、前記容器本体内から前記注出経路を経て前記逆流防止弁と前記液質改変室とを通過して前記注出口部へと前記内容物を導入することにより、酸性または中性に保持された前記内容物のｐＨを、アルカリ性に変化させることを特徴とする液体組成物のｐＨ調整方法を提供する。」（段落【０００６】）
　
（ｇ）「【０００７】
  
本発明の液体組成物収納容器にあっては、液体組成物の容器内への逆流を起こすことなく、液質の変化した液体組成物を注出できる液体組成物収納容器となり、また液体組成物のｐＨを容易に調整することができる
　
（ｈ）「【０００９】
  ［第１の実施形態］
  図１に、本発明の第１の実施形態に係る液体組成物収納容器１の断面側面図を示す。この液体組成物収納容器１は、液体組成物からなる内容物２と内容物２を収納する容器３から概略構成されている。
【００１０】
（容器）
  本実施形態における容器３は容器本体４と、容器本体４の開口部５に装着された注出口部６と、容器本体４内に配置された注出経路７と、
注出経路７内に配置された液質改変室８
液質改変室８内に収納された液質改変物質９
液質改変室８の下部に配置された逆流防止弁１０
【００１１】
  本実施形態における容器本体４は、高密度ポリエチレン等からなる合成樹脂製のスクイズ容器であって、横断面が概略楕円形をなした胴部と、その上方に形成された断面円形の頸部と、その上端に、頸部より小径に成形された断面円形の開口部５とからなり、この胴部は、手で押圧（スクイズ）すると凹み、押圧を開放すると元の形状に復帰する可撓性と弾性復帰力とを有している。
【００１２】
  容器本体４の開口部５に装着された注出口部６は、内径Ｄで表される太い筒状部材からなり、その先端はほぼ直角に曲げられている。注出口部６の先端には注出ノズルを装着することもできる。そして、
注出口部６は、液質改変室８および逆流防止弁１０を介して、注出経路７に接続されている
  注出経路７は、内容物２を容器本体４内から注出口６まで誘導させるため、注出口６から容器本体４の底部近くまで垂下したストロー状に構成されている。
【００１３】
  注出経路７の途中に配置された液質改変室８は、２つの円筒部材が接続された形状の空間からなり、上部は内径Ｃ、高さＦで表される円筒状部材で構成されている。下部は内径Ｂ、高さＥで表される。液質改変室８は、注出経路７の上方、中間、下方のどの位置に配置してもよい。
  
本実施形態では、液質改変室８の上部円筒部材の頭部と底部に、フィルタ１２、１２が設けられている
フィルタ１２、１２は多孔質物質、網状物質などで構成することができる
液質改変室８内にフィルタ１２、１２を設けることで、液質改変室８内に収納された液質改変物質９が注出口６および注出経路７に漏れて液体組成物を汚染するのを防ぐことができる
　
（ｉ）「【００１４】
  
液質改変室８内には、液質改変物質９が充填されている
液質改変物質９には、アルカリ性の固体物質が好ましい
前記アルカリ性の固体物質は
粒径が０．２ｍｍ〜３ｍｍの粒状物質であるのがより好ましい
  
前記アルカリ性の固体物質は
隙間を取って充填してもよい
【００１５】
  
液質改変室８の下部円筒部材の底部には逆流防止弁１０が接合されている。逆流防止弁１０は、ボール弁、バタフライ弁、ダイヤフラム弁等で形成されており、常時閉め方向に力がかかっている構造からなる
　
（ｊ）「【００２５】
  本発明の液体組成物収納容器１を用いることで、液体組成物のｐＨを容易にアルカリ性に変化させることができる。また、使用直前に液体組成物の液質を変化させることで、漂白・殺菌の効果を向上させ、洗浄力を高めることができる。さらに、
本発明の液体組成物収納容器１は、逆流防止弁１０を有しているので、液質の変化した液体組成物が容器本体４内へ逆流するのを防止でき、液体組成物を汚染させることなく、安定に保存し、使用したい際に必要な容量だけ液質の変化した液体組成物を注出することができる
　
（ｋ）「【００２６】
  ［第２の実施形態］
  図２に、本発明の第２の実施形態に係る液体組成物収納容器１の断面側面図を示す。本実施形態では、注出口部６にトリガーノズルを装着させたポンプ容器で構成されている。注出口部６をトリガーノズルとすることで、液体組成物を広範囲に噴霧させて注出することができる。注出口部６以外の部材は第１の実施の形態と同じであるので、その説明を省略する。
  
なお、他の実施形態では、液体組成物収納容器１をポンプ式ディスペンサー、泡沫式ポンプ、スプレー容器等としてもよい
　
（ｌ）「【図面の簡単な説明】
【００５０】
【図１】本発明の液体組成物収納容器の第１の実施形態に係る断面側面図である。
【図２】本発明の液体組成物収納容器の第２の実施形態に係る断面側面図である。
【符号の説明】
【００５１】
  １    液体組成物収納容器
  ２    内容物
  ３    容器
  ４    容器本体
  ５    開口部
  ６    注出口部
  ７    注出経路
  ８    液質改変室
  ９    液質改変物質
  １０  逆流防止弁
  １１  外気導入口
  １２  フィルタ」（【図面の簡単な説明】及び【符号の説明】）
　
（２）上記（１）並びに図１及び２の記載から、以下のことが分かる。
（ア）上記（１）並びに図１及び２の記載から、引用文献２には、液体組成物からなる内容物と該内容物を収納する容器からなる液体組成物収納容器において、前記容器は、容器本体と、該容器本体の開口部に装着された注出口部と、前記容器本体内に配置された注出経路と、該注出経路内に配置された液質改変室と、該液質改変室内に収納された液質改変物質と、前記液質改変室の下部（すなわち、上流）に配置された逆流防止弁とを有する液体組成物収納容器が記載されていることが分かる。
　
（イ）上記（１）並びに図１及び２の記載から、引用文献２に記載された液体組成物収納容器は、液体組成物の容器内への逆流を起こすことなく、液質の変化した液体組成物を注出できる液体組成物収納容器となることが分かる。
　
（ウ）上記（１）並びに図１及び２の記載から、引用文献２に記載された液体組成物収納容器は、ポンプ式ディスペンサー、泡沫式ポンプ、スプレー容器等としてもよいことが分かる。
　
（３）上記（１）、（２）及び図面の記載から、引用文献２には次の技術（以下、「引用文献２記載の技術１」という。）が記載されているといえる。
　
「内容物を注出する液体組成物収納容器１において、注出経路７内に液質改変物質９を収容する液質改変室８を設け、該液質改変室８の上流に逆流防止弁１０を設ける技術。」
　
　また、上記（１）、（２）及び図面の記載から、引用文献２には次の技術（以下、「引用文献２記載の技術２」という。）が記載されているといえる。
　
「内容物を注出する液体組成物収納容器１において、注出経路内７に液質改変室８を設け、該液質改変室８内に、液質改変物質９を、隙間を取って充填する技術。」 
　
２−１−３　引用文献３
（１）原査定の拒絶理由に引用された本件出願前に頒布された刊行物である特開２００６−７６６４８号公報（以下、「引用文献３」という。）には、例えば、以下の記載がある。（なお、下線は、理解の一助のために当審で付したものである。）
　
（ａ）「【請求項１】
  
内容物を貯留する容器本体と、前記容器本体に設けられ、前記内容物を容器本体外へ放出する内容物放出装置とを備え
  
前記内容物放出装置は、前記内容物が流通する放出流路と、前記放出流路に設けられ、前記内容物を改質する改質剤を収納する収納部とを有することを特徴とする内容物放出装置付き容器
　
（ｂ）「【０００１】
  本発明は、内容物放出装置付き容器に関し、特に詳しくは、
内容物放出装置付き容器に貯留された内容物を効率よく改質する
　
（ｃ）「【０００４】
  本発明は、内容物放出装置付き容器内に貯留された内容物を効率よく改質することができる内容物放出装置付き容器を提供することをその課題とする。」（段落【０００４】）
　
（ｄ）「【０００６】
  本発明によれば、内容物を貯留する容器本体と、前記容器本体に設けられ、前記内容物を容器本体外へ放出する内容物放出装置とを備え、前記内容物放出装置は、前記内容物が流通する放出流路と、前記放出流路に設けられ、前記内容物を改質する改質剤を収納する収納部とを有することにより、内容物を効率よく改質することができる内容物放出装置付き容器を提供することができる。」（段落【０００６】）
　
（ｅ）「【００１７】
  以下に、ポンプ付き容器１の作用を説明する。なお、内容物２Ｂの一例として、化粧水の場合を説明する。まず、ボタン５Ａを押すことによって、内容物２Ｂが吸引される。
吸引された内容物２Ｂは、収納箱体８の多孔質構造８Ａを通過して、収納箱体８内の改質剤９に接触する
内容物２Ｂと接触した改質剤９は、改質剤９同士が接触するようになる
トルマリン石同士が接触する
　
（ｆ）「【００２４】
  前記実施形態において、例えば、内容物２Ｂが化粧水であり、改質剤９がトルマリン石である場合を挙げたが、これに限定されず、以下のような例を挙げることができる。例えば、内容物２Ｂが化粧水であり、改質剤９がマイナスイオンセラミックボールである場合には、
マイナスイオンセラミックボール同士が接触する
【００２５】
  また、例えば、内容物２Ｂが入浴剤であり、改質剤９が遠赤外線セラミックボールである場合には、
遠赤外線セラミックボール同士が接触すると、遠赤外線セラミックボールは遠赤外線を発生する
加熱効果も奏することができる。」（段落【００２４】及び【００２５】）
　
（２）上記（１）及び図面から、引用文献３には、以下の技術（以下、「引用文献３記載の技術」という。）が記載されているといえる。
　
「内容物２Ｂを貯留する容器本体２と、前記容器本体２に設けられ、前記内容物２Ｂを容器本体外へ放出する内容物放出装置とを備え、前記内容物放出装置は、前記内容物２Ｂが流通する放出流路と、前記放出流路に設けられ、前記内容物を改質する改質剤９を収納する収納部とを有する内容物放出装置付き容器において、
　内容物２Ｂと接触した改質剤９は、改質剤９同士が接触するようになる技術。」
　
２−２　対比
　本件補正発明と引用文献１記載の発明とを対比すると、引用文献１記載の発明における「主要本体１４；３４」は、その機能、作用又は技術的意義からみて、本件補正発明における「容器体（Ａ）」に相当し、以下同様に、「取り外し可能」は「着脱可能」に、「押しボタン１１；３１」は「押下ヘッド(12)」に、「導出口１２；３２」は「噴出口(14)」に、「ディスクフィルター」は「メッシュ」に、「フィルターユニットの充填剤収容部」は「粒体収容部(17)」に、「原料水との接触により原料水を芳香水に変換する機能性充填剤」は「収容液との接触により吐出液に特性を付与する粒体(15)」に、「原料水」は「液」及び「収容液」に、「芳香水」は「液」及び「吐出液」に、「通過」は「流通」に、「芳香水の製造装置」は「液体噴出器」に、それぞれ相当する。
　また、引用文献１記載の発明における「噴霧ユニット１３；３３の下部」は、シリンダを含むものであるから、引用文献１記載の発明における「主要本体１４内に垂下した噴霧ユニット１３；３３の下部」は、本件補正発明における「容器体（Ａ）内に垂下したシリンダ」に相当し、同様に、引用文献１記載の発明における「噴霧ユニット１３；３３の下部」は、本件補正発明における「シリンダ」に相当する。
　また、引用文献１記載の発明における「フィルター組み立て体２０；４０」は、貯蔵空間Ｘの原料水を吸い上げるものであるから、引用文献１記載の発明における「吸い上げパイプ」に相当する。
　そうすると、本件補正発明と引用文献１記載の発明とは、
「容器体に着脱可能に装着するとともに、容器体内に垂下したシリンダの下端より吸上げパイプを垂設し、上端の押下ヘッドの上下動により容器体内の液を吸い上げて押下ヘッドの噴出口より噴出する如く構成した液体噴出器に於いて、シリンダに対して着脱自在に装着した吸上げパイプ内に、所定間隔をあけて嵌着した一対のメッシュ間に粒体収容部を画成し、粒体収容部内部へ、収容液との接触により吐出液に特性を付与する粒体を、液の流通が可能な状態で収容し、該粒体収容部内に空隙を設けた液体噴出器。」
という点で一致し、以下の点で相違する。
　 
＜相違点＞
（１）本件補正発明においては、「粒体収容部内に、液の噴出の際に液圧で粒体を移動させて、液に対して粒体の特性を付加し易くするための空隙を設け」たのに対し、引用文献１記載の発明においては、「フィルターユニットの充填剤収容部［本件補正発明における「粒体収容部」に相当する。］内に空隙を設け」たものと認められるが、「液の噴出の際に液圧で粒体を移動させて、液に対して粒体の特性を付加し易くするための空隙」であるかどうかは不明である点（以下、「相違点１」という。）。
　
（２）本件補正発明においては、「粒体収納部上流に、上流から下流に一方的に連通する逆止弁を設けた」のに対し、引用文献１記載の発明においては、そのような逆止弁を設けていない点（以下、「相違点２」という。）。
　
２−３　判断
　上記相違点について検討する。
（１）相違点１について
　本件補正発明における「空隙」の技術的意義を知るために、本願の明細書を参照すると、
「粒体収容部17内に粒体15の移動が可能な空隙を設けた場合には、液の噴出時に粒体15が移動して粒体15の特性を液に対してさらに付加し易くなる。」（段落【００２０】）、
「粒体15は図１にある如く粒体収容部17上部に不充填部分である空隙を設けて、液の噴出の際に液圧で移動が可能に構成している。尚、粒体収容部17内全体にわたって粒体15を充填することも当然可能である。」（段落【００２８】）、
と記載され、粒体収容部17内に「空隙」を設けることにより、液の噴出の際に液圧で粒体15の移動が可能にすることが分かる。
　ところで、引用文献１記載の発明においても、「フィルターユニットの充填剤収容部内に空隙を設けた」ものであり、引用文献１の図面を参照すれば、該空隙は粉体１５の大きさに比してかなり大きなものであるようにも見受けられる。
　また、引用文献２記載の技術２は、本件補正発明の用語を用いて、
「容器体内の液を注出する液体噴出器において、吸い上げパイプ内に粒体収容部を設け、該粒体収容部内に、粒体を、隙間を取って充填する技術。」と、
また、引用文献３記載の技術は、本件補正発明の用語を用いて、
「液を貯留する容器体と、前記容器体に設けられ、前記液を容器体外へ放出する噴出装置とを備え、前記噴出装置は、前記液が流通する吸い上げパイプと、前記吸い上げパイプに設けられ、前記吐出液に特性を付与する粒体を収納する粒体収納部とを有する液体噴出器において、
　液と接触した粒体は、粒体同士が接触する（「接触・離間する」の意味と解される。）ようになる技術。」と言い換えることができる。
　上記のように、粒体収容部内に粒体を、隙間を取って充填する技術は周知技術（以下、「周知技術」という。）であり、その際に、該隙間を、液の噴出の際に液中の粒体同士が接触・離間する程度、すなわち、「液の噴出の際に液圧で粒体を移動させる」程度の空隙とすることは、当業者が適宜なし得る設計的事項にすぎない。
　なお、粒体を移動させることにより、液に対して粒体の特性を付加しやすくなることは、自明の効果である。
　
　してみれば、引用文献１記載の発明において、周知技術を適用し、空隙の大きさを適宜設定することにより、上記相違点１に係る本件補正発明の発明特定事項をなすことは、当業者が容易に想到できたことである。
　
（２）相違点２について
　引用文献２記載の技術１は、本件補正発明の用語を用いて、
「吐出液を抽出する液体噴出器において、吸い上げパイプ内に特性を付与する粒体を収容する粒体収容部を設け、該粒体収容部の上流に、上流から下流に一方的に連通する逆止弁を設ける技術。」と言い換えることができる。
　そして、引用文献１記載の発明と引用文献２記載の技術１は、共に、粒体収容部（フィルターユニット、液質改変室）内に設けた粒体（充填剤、液質改変物質）により、液体に特性を付与する技術に関するものであり、液体を入れた容器内に、液体を吸い上げるときに特性を付与する粒体（充填剤、液質改変物質）を収容する粒体収容部（フィルターユニット、液質改変室）を設けたという構造も共通している。
　してみれば、引用文献１記載の発明において、引用文献２記載の技術１を適用して、粒体収容部上流に、上流から下流に一方的に連通する逆止弁を設けることにより、上記相違点２に係る本件補正発明の発明特定事項をなすことは、当業者が容易に想到できたことである。
　
　そして、本件補正発明を全体としてみても、その奏する効果は、引用文献１記載の発明、引用文献２記載の技術１及び２、引用文献３記載の技術並びに周知技術から当業者が予測できた範囲内のものであり、格別に顕著な効果ではない。 
　
　以上のように、本件補正発明は、引用文献１記載の発明、引用文献２記載の技術１及び２、引用文献３記載の技術並びに周知技術に基づいて当業者が容易に発明をすることができたものであり、特許法第２９条第２項の規定により、特許出願の際独立して特許を受けることができないものである。
　
３　むすび
　したがって、本件補正は、特許法第１７条の２第６項において準用する同法第１２６条第５項の規定に違反するので、同法第１５９条第１項の規定において読み替えて準用する同法第５３条第１項の規定により却下すべきものである。
　
　よって、補正却下の決定の結論のとおり決定する。
　
第３　本願発明について
１　本願発明
　平成２５年２月１２日付けの手続補正は前述したとおり却下されたので、本件出願の請求項１ないし４に係る発明は、平成２４年８月２４日付けの手続補正書により補正された明細書及び特許請求の範囲並びに出願当初の図面の記載からみて、特許請求の範囲の請求項１ないし４に記載された事項により特定されるものであるところ、その請求項１に係る発明（以下、「本願発明」という。）は、前記第２の〔理由〕１（１）の（ａ）の請求項１に記載したとおりのものである。
　
２　引用文献
　原査定の拒絶の理由に引用された引用文献１ないし３及びその記載事項並びに引用文献１記載の発明、引用文献２記載の技術１及び２並びに引用文献３記載の技術は、前記第２〔理由〕２　２−１　２−１−１、２−１−２及び２−１−３に記載したとおりである。
　
３　対比・判断
　本願発明は、前記第２〔理由〕２　２−２及び２−３において検討した本件補正発明における発明特定事項の一部を省いたものである。
　そうすると、本願発明の発明特定事項を全て含み、さらに限定を加えたものに相当する本件補正発明が、前記第２〔理由〕２　２−３に記載したとおり、引用文献１記載の発明、引用文献２記載の技術１及び２、引用文献３記載の技術並びに周知技術に基づいて当業者が容易に発明をすることができたものであるから、本願発明も、同様の理由により、引用文献１記載の発明、引用文献２記載の技術１及び２、引用文献３記載の技術並びに周知技術に基づいて当業者が容易に発明をすることができたものである。
　
４　むすび
　以上のとおり、本願発明は、引用文献１記載の発明、引用文献２記載の技術１及び２、引用文献３記載の技術並びに周知技術に基づいて当業者が容易に発明をすることができたものであるから、特許法第２９条第２項の規定により、特許を受けることができない。
　よって、結論のとおり審決する。